(57)【要約】【課題】音声入出力装置を用いて通話が行われる際に、マイクにより入力される音声に含まれる雑音を、使用者が確認できるようにする。【解決手段】音声入出力装置２は、携帯電話５０に接続され、周囲の音声をマイク１０にて音声信号に変換して携帯電話５０に出力すると共に、携帯電話５０から入力された音声信号をスピーカ２０に出力して、スピーカ２０から音声を発生させる。そして、ループバック部４０にて、ＣＰＵ４１による制御により、マイク１０から入力された音声信号の一部を変換器４３より入力し、加算器３７へ出力して、加算器３７によりスピーカ２０への出力される音声信号に加算し、スピーカ２０から音声として発生させる。【選択図】  図１
2004343335.tif 000002
【特許請求の範囲】
【請求項１】
外部装置との間で通話用の音声信号を送受信する通信装置に接続され、周囲の音声をマイクロフォンにて音声信号に変換して前記通信装置に出力すると共に、前記通信装置から入力された音声信号をスピーカに出力して、該スピーカから音声を発生させる音声入出力装置において、
前記マイクロフォンから入力された音声信号の少なくとも一部を前記スピーカに出力して、前記マイクロフォンが音声信号に変換した周囲の音声を前記スピーカから発生させるループバック手段を備えたことを特徴とする音声入出力装置。
【請求項２】
前記マイクロフォンから入力された音声信号から、前記スピーカから発生させた音声信号成分を除去するエコーキャンセル手段を備えたことを特徴とする請求項１記載の音声入出力装置。
【請求項３】
前記ループバック手段の動作を外部操作によって指令するための操作部を備えたことを特徴とする請求項１又は請求項２記載の音声入出力装置。
【請求項４】
前記ループバック手段は、
前記操作部を介して録音指令が入力されると、前記マイクロフォンから入力された音声信号を所定の記憶媒体に記憶する録音手段と、
前記操作部を介して再生指令が入力されると、該記憶媒体に記憶された音声信号を前記スピーカに出力して、該スピーカから音声を発生させる再生手段と、
を備えたことを特徴とする請求項３記載の音声入出力装置。
【請求項５】
前記ループバック手段は、
前記操作部を介して直接再生指令が入力されると、前記マイクロフォンから入力された音声信号を前記スピーカに出力して、該スピーカから音声を発生させる直接再生手段を備えたことを特徴とする請求項３又は請求項４に記載の音声入出力装置。
【請求項６】
当該音声入出力装置は、車両に搭載され、前記マイクロフォン及びスピーカは、車室内でのハンズフリー通話が可能となるよう、車室内に設けられたことを特徴とする請求項１〜請求項５何れか記載の音声入出力装置。
【請求項７】
前記マイクロフォンから入力された音声信号の出力先及び前記スピーカへ出力する音声信号の入力元の少なくとも一方を、前記通信装置以外の他の車載装置に切り換え、当該音声入出力装置を、前記通信装置と他の車載装置とで共用化させる切換手段を備えたことを特徴とする請求項６記載の音声入出力装置。
【請求項８】
外部装置との間で通話用の音声信号を送受信する通信装置と、
該通信装置に接続され、周囲の音声をマイクロフォンにて音声信号に変換して前記通信装置に出力すると共に、前記通信装置から入力された音声信号をスピーカに出力して、該スピーカから音声を発生させる音声入出力装置と、
を備えた通話システムであって、
前記音声入出力装置として、請求項１〜請求項７何れか記載の音声入出力装置を備えたことを特徴とする通話システム。
【請求項９】
前記通信装置は、携帯型の無線電話端末からなることを特徴とする請求項８記載の通話システム。
【発明の詳細な説明】
【０００１】
【発明の属する技術分野】
本発明は、外部装置との間で通話用の音声信号を送受信する通信装置に接続され、周囲の音声をマイクロフォンにて音声信号に変換して通信装置に出力すると共に、通信装置から入力された音声信号をスピーカに出力して、スピーカから音声を発生させる音声入出力装置、及び、この音声入出力装置と、通信装置とを備える通話システムに関する。
【０００２】
【従来の技術】
従来、外部装置との間で通話用の音声信号を送受信する通信装置と、この通信装置に接続され、周囲の音声をマイクロフォン（以降マイクと呼ぶ）にて音声信号に変換して通信装置に出力すると共に、通信装置から入力された音声信号をスピーカに出力して、スピーカから音声を発生させる音声入出力装置とで構成される通話システムが知られている。
【０００３】
例えば、車両にて運転者が携帯電話により通話を行う際に、運転に支障をきたさないように、車両内に配置されたマイク及びスピーカで音声を入出力する音声入出力装置を、通信装置としての携帯電話に接続して、運転者が携帯電話を手で保持することなく通話するハンズフリー通話を行うための通話システムが知られている。
【０００４】
そして、このような通話システムでは、マイク及びスピーカと使用者との間に間隔が空くため、車両内の窓による風切り音や、エアコンによる噴出し音などの雑音が、通話の際の音声に混入して、スピーカからの音声を使用者が聞き取れなかったり、マイクにより入力される音声に雑音が重なり、通話相手にて聞かれる音声が不明瞭となったりして、通話が困難になる場合が考えられる。
【０００５】
この問題を改善するために、通話用のマイクにより入力した音声信号での雑音成分の大きさに応じてスピーカの音量を可変して、聞き取りやすくする（例えば、雑音が大きいときは、音量を上げる）音声入出力装置が知られている（参考文献１参照）。
【０００６】
また、マイクからの音声信号に対して、フィルタをかけて雑音成分を低減する等の処理がなされる音声入出力装置も知られている。
【０００７】
【参考文献１】
特開平６−１３２８４８号公報
【０００８】
【発明が解決しようとする課題】
しかし、雑音成分の大きさに応じてスピーカの音量を可変しても、マイクにより入力される音声に重畳される雑音による問題は改善されず、また、マイクにより入力される音声に重畳される雑音をフィルタにより低減する音声入出力装置でも、使用者の声は低減しないようにしたいため、人の声に近い周波数帯域の雑音に対して、十分に低減することは難しい。
【０００９】
一方、雑音により通話が困難となる場合に、使用者の周囲の雑音源を、できるだけ雑音を発生しない状態に使用者がすることにより、良好な通話を行えるようにすることが考えられる。例えば、走行中の車両においては、使用者が、風切り音が発生しないように窓を閉めたり、噴出し音を消すためにエアコンを停止するなどの雑音低減の処置を行う。
【００１０】
しかし、使用者とマイクとの音声の入力位置や集音特性の違いにより、使用者が聞く周囲の音声とマイクにより入力される音声とに違いが生じるため、通話する際に使用者が行う雑音低減の処置に見落としが生じ、マイクにより入力される音声に大きな雑音が残る場合が考えられる。例えば、エアコンの吹き出し口の近くにマイクがあり、マイクにより入力される音声に、エアコンの吹き出し音が大きく混入していても、使用者の耳の位置ではエアコンの吹き出し音は小さく聞こえ、通話への影響が少ないと判断され、エアコンの吹き出し音がそのままにされる場合などが考えられる。
【００１１】
このため、雑音を含んで聞き取りにくい音声を通話相手が聞いていても、マイクにより入力される音声を使用者が確認できないため、使用者は気づかず通話を続けてしまうという問題が考えられる。
本発明は、こうした問題点に鑑みなされたものであり、音声入出力装置を用いて通話が行われる際の、マイクにより入力される音声に含まれる雑音を、使用者が確認できるようにすることを目的とする。
【００１２】
【課題を解決するための手段】
かかる目的を達成するためになされた請求項１に記載の音声入出力装置においては、外部装置との間で通話用の音声信号を送受信する通信装置に接続され、周囲の音声をマイクにて音声信号に変換して通信装置に出力すると共に、通信装置から入力された音声信号をスピーカに出力して、スピーカから音声を発生させる。
【００１３】
そして、マイクから入力された音声信号の少なくとも一部をスピーカに出力して、マイクが音声信号に変換した周囲の音声をスピーカから発生させるループバック手段を備えることを特徴とする。
この結果、本発明の音声入出力装置によれば、ループバック手段により、マイクから入力される周囲の音声がスピーカから発生されるため、使用者は、これを聞いて、通話相手が聞く音声に、どのような雑音がどの程度含まれているか確認し、通話への影響が大きい雑音源を見落とすことなく特定できる。
【００１４】
そして、このようにして特定された雑音源に対して、使用者が雑音を低減する処置を行うことにより、雑音による通話不良を防止できる。
また、雑音低減の処置を必要最小限にとどめることができ、通話相手が聞き取りづらい状態では無いことを確認できるため、安心して通話することができる。
【００１５】
尚、音声入出力装置としては、従来例のように通信装置とは別体に構成されるものや、電話端末などに内蔵されたマイク及びスピーカを用いて構成され、通信装置と一体化されたものなど種々ある。また、音声入出力装置が、通信装置と別体に構成されるものでも、車両などに装着され使用されるものや、ヘッドセットなどで使用者の体の一部に保持されて使用箇所が限定されないものなどがある。
【００１６】
ところで、音声入出力装置のスピーカが、ヘッドセットのスピーカやイヤホンのように使用者の耳元に装着されるのではなく、車内などに使用者から離れて装着される場合、ループバック手段により、マイクから入力された音声信号を音声としてスピーカから発生させると、スピーカーからの音声が周囲に広がって再度マイクに入力され、またスピーカから発生されるという動作を繰り返し、エコーがかかったり、ハウリングを起こし、通話に支障をきたすようになる場合が考えられる。
【００１７】
このため、本発明の音声入出力装置においては、請求項２に記載のように、マイクから入力された音声信号から、スピーカから発生させた音声信号成分を除去するエコーキャンセル手段を備えると良い。
つまり、このようにすると、スピーカから発生させた音声信号成分を、再びスピーカから発生させることがないようにでき、エコーやハウリングを生じないようにできる。
【００１８】
一方、本発明の音声入出力装置のループバック手段は、使用者がマイクにより入力される音声に含まれる雑音を確認して、雑音源の雑音低減処置をしてしまえば、動作していなくても良い。
このため、請求項１又は請求項２に記載の音声入出力装置においては、請求項３のように、ループバック手段の動作を外部操作によって指令するための操作部を備えると良い。
【００１９】
つまり、このようにすると、使用者は、操作部により、ループバック手段の動作を指令して、マイクにより入力される音声に含まれる雑音を確認して、雑音源の雑音低減処置をする間だけ動作させ、その後ループバック手段を停止して、スピーカから発生する音声を、ループバック手段による音声が無く聞き取りやすいものにできる。
【００２０】
また、請求項３に記載の音声入出力装置は、請求項４のように構成しても良い。
即ち、請求項４に記載の音声入出力装置において、ループバック手段は、操作部を介して録音指令が入力されると、録音手段にてマイクから入力された音声信号を所定の記憶媒体に記憶し、操作部を介して再生指令が入力されると、再生手段にて、記憶媒体に記憶された音声信号をスピーカに出力して、スピーカから音声を発生させる。
【００２１】
この結果、本発明（請求項４）の音声入出力装置によれば、使用者は、通話の際に録音指令を入力して音声信号の記憶だけを行い、通話が終わってから再生指令を入力して記憶した音声信号を再生し、音声信号に含まれる雑音の内容を確認できる。このように、通話の後から雑音の内容を確認すれば、落ち着いて確認することができ、次の通話時に、同様な状況であれば、音声信号の内容を確認することなく雑音の低減処置を行うようにできる。
【００２２】
また、請求項３又は請求項４に記載の音声入力装置を、請求項５のように構成しても良い。
即ち、請求項５に記載の音声入出力装置において、ループバック手段は、操作部を介して直接再生指令が入力されると、直接再生手段にて、マイクから入力された音声信号をスピーカに出力して、スピーカから音声を発生させる。
【００２３】
この結果、本発明の音声入出力装置によれば、使用者は、任意の時点で直接再生指令を入力し、その時点での音声入出力装置が出力する音声信号の内容を確認することができる。
また、従来例に記述したように、車内でハンズフリー通話を行う場合に雑音が問題になる場合が多く、車内には雑音の内容を確認して雑音低減の処置できる雑音源も多い。
【００２４】
このため、請求項１〜請求項５に記載の音声入出力装置を、請求項６のように、車両に搭載し、マイク及びスピーカが、車室内でのハンズフリー通話が可能となるように、車室内に設けると、本発明による効果が大きい。
また、車両には、通常、オーディオ機器や、カーナビゲーション装置などの音声をスピーカから出力する車載装置が搭載され、これらを音声指令で動作させるための音声認識装置など、音声をマイクから入力する車載装置も搭載される。
【００２５】
このため、車両に搭載される音声入出力装置である請求項６に記載の音声入出力装置は、請求項７のように、切換手段にて、マイクから入力された音声信号の出力先及びスピーカへ出力する音声信号の入力元の少なくとも一方を、通信装置以外の他の車載装置に切り換え、当該音声入出力装置を、通信装置と他の車載装置とで共用化させるようにすると良い。
【００２６】
つまり、このようにすれば、マイク又はスピーカを他の車載装置と共用することができ、車両に搭載するマイク又はスピーカの数を減らすことができて良い。
一方、請求項８に記載の通話システムにおいては、外部装置との間で通話用の音声信号を送受信する通信装置と、通信装置に接続され、周囲の音声をマイクにて音声信号に変換して通信装置に出力すると共に、通信装置から入力された音声信号をスピーカに出力して、スピーカから音声を発生させる音声入出力装置であって、請求項１〜請求項７何れか記載の音声入出力装置と、を備える。
【００２７】
この結果、本発明（請求項８）に記載の通話システムによれば、請求項１〜請求項７に記載の音声入出力装置と同様の効果を有する通話システムとすることができる。
また、請求項８に記載の通話システムにおいては、特に請求項９のように、通信装置が、携帯型の無線電話端末からなると良い。
【００２８】
つまり、通信装置が携帯型の無線電話端末（いわゆる携帯電話）の場合、屋外など雑音が多い環境で使用されることが多いため、本発明の効果が大きい。
【００２９】
【発明の実施の形態】
以下に本発明の実施例を図面と共に説明する。
本実施例のハンズフリー通話システム１の全体構成を表すブロック図を図１に示す。
【００３０】
ハンズフリー通話システム１は、車両に装着される音声入出力装置２と、音声入出力装置２に接続される携帯型の無線電話端末（以降携帯電話と呼ぶ）５０とで構成され、車両の運転者が、手で携帯電話５０を持つことなく他の電話端末の使用者との間で通話を行うためのシステムである。
【００３１】
尚、携帯電話５０は、携帯電話５０を保持するために車両に設けられた保持具（図示せず）に、音声入出力装置２と電気的に接続した状態で保持される。
また、携帯電話５０は、単体でも他の電話端末との間で、無線通信により音声信号を送受信して通話が可能なもので、音声入出力装置２から入出力される音声信号での通話も行える。
【００３２】
音声入出力装置２は、マイク１０と、スピーカ２０と、フィルタ部３０と、ループバック部４０とで構成されている。
マイク１０は、入力された音声をアナログ電圧による音声信号に変換して出力するものであって、車両の運転席側フロントピラーの上部から延び、先端位置が可動できる支柱の先端に運転者の口元へ向けて装着されている。
【００３３】
また、スピーカ２０は、入力されたアナログ電圧による音声信号を変換して音声を出力するものであって、運転者の耳元で音声を出力するように運転席のヘッドレスト付近に装着されている。また、スピーカ２０には、音声信号の増幅器と、増幅器の増幅率を調整するボリュームとが設けられていて、使用者のボリューム操作に応じて出力する音量が変化する。
【００３４】
また、フィルタ部３０は、マイク１０及びスピーカ２０と、携帯電話５０の間に配置され、マイク１０からの音声信号を入力して、携帯電話５０へ出力し、携帯電話５０から音声信号を入力して、スピーカ２０へ出力するように接続されている。
【００３５】
そして、フィルタ部３０は、コーデック３１、エコーキャンセラ３２、ノイズキャンセラ３３、ラインエコーキャンセラ３４、コーデック３５を備えている。
尚、コーデック３１，３５は、それぞれエンコーダ３１ａ，３５ｂと、デーコーダ３１ｂ，３５ａとで構成され、エンコーダ３１ａ，３５ｂは、入力されたアナログの音声信号をデジタルの音声データに変換し、デコーダ３１ｂ，３５ａは、入力されたデジタルの音声データをアナログの音声信号へ変換する。そして、エンコーダ３１ａからデコーダ３５ａの間、及び、エンコーダ３５ｂからデコーダ３１ｂの間は、デジタルのシリアル通信でデータ伝送されている。
【００３６】
また、エコーキャンセラ３２は、コーデック３１のデコーダ３１ｂへ入力される音声データを取り込み、その音声データの値に、あらかじめ設定されたゲインをアンプ３２ａで乗じ、極性を反転して、この音声データを加算器３２ｂによりコーデック３１のエンコーダ３１ａからの音声データに加算（つまり減算）する。このようにして、エコーキャンセラ３２は、スピーカ２０から出力された音声が、マイク１０により入力されてしまう成分の音声信号を除去する。尚、エコーキャンセラ３２には、ボリューム３２ｃが設けられていて、使用者によるボリューム３２ｃの操作によりアンプ３２ａのゲインを変更できる。そして、アンプ３２ａのゲインは、スピーカ２０の音量や、スピーカ２０とマイク１０との間隔に応じて、エコーや、ハウリングを生じないように変更される。
【００３７】
また、ノイズキャンセラ３３は、デジタルフィルタからなり、加算器３２ｂからの音声データを、可聴周波数帯域（例えば、２０〜２０ｋＨｚ）の音声成分だけの音声データにしてコーデック３５のデコーダ３５ａへ出力する。つまり、ノイズキャンセラ３３により、人間が聞くことのできる周波数帯域以外の音声信号成分は、雑音としてカットされる。
【００３８】
また、ラインエコーキャンセラ３４は、ノイズキャンセラ３３から出力される音声データを入力して、アンプ３４ａにて、あらかじめ設定されたゲインを乗じ、極性を反転して、加算器３４ｂによりコーデック３５のエンコーダ３５ｂからの音声データに加算（つまり減算）して、コーデック３１のデコーダ３１ｂに出力する。このようにして、ラインエコーキャンセラ３４は、携帯電話５０から送信した音声信号が、通話相手の電話端末のスピーカから音声出力され、通話相手の電話端末のマイクにより再度入力されて、携帯電話５０へ戻ってくる音声信号成分を除去する。
【００３９】
このように、フィルタ部３０は、マイク１０から入力されるアナログの音声信号を、コーデック３１でデジタルの音声データに変換し、エコーキャンセラ３２、ノイズキャンセラ３３を通してノイズの一部を除去し、コーデック３５へ伝送し、コーデック３５で再度アナログの音声信号に変換して、携帯電話５０に出力する。そして、携帯電話５０から入力される通話相手からのアナログの音声信号を、コーデック３５でデジタルの音声データに変換し、ラインエコーキャンセラ３４を通してノイズの一部を除去し、コーデック３１へ伝送し、コーデック３１にてアナログの音声信号に戻して、スピーカ２０へ出力する。
【００４０】
一方、ループバック部４０は、ＣＰＵ４１と、メモリ４５と、変換器４３と、電源スイッチ４７と、切換スイッチ４８と、再生スイッチ４９と、自動着信器３９とで構成される。
尚、変換器４３は、シリアル通信データをパラレル通信データに変換するＳ／Ｐ変換部４３ａと、パラレル通信データをシリアル通信データに変換するＰ／Ｓ変換部４３ｂとで構成され、Ｓ／Ｐ変換部４３ａにて、ノイズキャンセラ３３から出力される音声信号のシリアル通信データをパラレル通信データに変換して、バスライン４２でＣＰＵ４１に送る。また、Ｐ／Ｓ変換部４３ｂにて、ＣＰＵ４１よりバスライン４２で送られてくるパラレル通信データをシリアル通信データに変換して、コーデック３５のエンコーダ３５ｂから出力される音声データに加算器３７で加算する。そして、加算器３７で加算された音声データは、デコーダ３１ｂに送られ、アナログの音声信号に変換されて、スピーカ２０より音声として出力される。
【００４１】
また、メモリ４５は、所定の時間分（例えば、約１分間）の音声信号を記憶する容量を持ち、バスライン４２を介して、ＣＰＵ４１により音声データの書き込み及び読み出しがなされる。尚、ＣＰＵ４１は、所定時間分を越えての音声データの書き込みに対しては、記憶領域の先頭に戻り、上書きを行う。
【００４２】
また、電源スイッチ４７は、ループバック部４０の動作状態を、動作、停止又は自動動作に切換えるためのスイッチで、３ポジションのトグルスイッチなどで構成され、ＣＰＵ４１に接続されている。そして、電源スイッチ４７のトグルの位置の一方を「ＯＮ」、もう一方を「ＡＵＴＯ」、その間を「ＯＦＦ」としてＣＰＵ４１にて判別される。
【００４３】
また、切換スイッチ４８は、ループバック部４０が動作する状態となったときの動作内容を切換えるためのスイッチで、２ポジションのトグルスイッチなどで構成され、ＣＰＵ４１に接続されている。そして、切換スイッチ４８のトグルの位置の一方を「録音」、もう一方を「直接再生」として、ＣＰＵ４１に判別される。
【００４４】
また、再生スイッチ４９は、再生動作を行うか行わないかを切換えるためのスイッチで、２ポジションのトグルスイッチなどで構成され、ＣＰＵ４１に接続されている。そして、再生スイッチ４９のトグルの位置の一方を「ＯＮ」、もう一方を「ＯＦＦ」として、ＣＰＵ４１に判別される。
【００４５】
また、自動着信器３９は、携帯電話５０に接続されて、他の電話端末からの着信が携帯電話５０にあると、これを検知して、ＣＰＵ４１に対して着信検知信号を出力する。
また、ＣＰＵ４１は、電源スイッチ４７、切換スイッチ４８、再生スイッチ４９の状態、及び、自動着信器３９からの着信検知信号を検出し、変換器４３に対する音声データの入出力、及び、メモリ４５に対する音声データの読み書きをバスライン４２を介して行う。
【００４６】
ここで、ループバック部４０のＣＰＵ４１での処理手順を図２のフローチャートに示し説明する。
まず、Ｓ１００にて、電源スイッチ４７が「ＯＮ」であるか否かを判別し、電源スイッチ４７が「ＯＮ」であれば、録音又は直接再生するためにＳ１３０へ移行し、「ＯＮ」でなければ、Ｓ１１０へ移行する。
【００４７】
Ｓ１１０では、電源スイッチ４７が「ＡＵＴＯ」であるか否かを判別し、電源スイッチ４７が「ＡＵＴＯ」であれば、着信検知信号の有無を判別するためにＳ１２０へ移行し、「ＡＵＴＯ」でなければ、Ｓ１６０へ移行する。
Ｓ１２０では、自動着信器３９からの着信検知信号について検出を行い、着信検知信号が検出されると、録音又は直接再生するためにＳ１３０へ移行し、着信検知信号が検出されなければ、Ｓ１６０へ移行する。
【００４８】
次に、Ｓ１３０にて、切換スイッチ４８が「録音」であるか否かを判別し、切換スイッチ４８が「録音」であればＳ１４０へ移行し、Ｓ１４０にて、変換器４３のＳ／Ｐ変換部４３ａから入力されている音声データをメモリ４５へ書き込み、Ｓ１００へ戻る。そして、切換スイッチ４８が「録音」でなく、「直接再生」であれば、Ｓ１５０へ移行して、Ｓ１５０にて、変換器４３のＳ／Ｐ変換部４３ａからの音声データを変換器４３のＰ／Ｓ変換部４３ｂへ出力して、スピーカ２０から音声出力させ、Ｓ１００へ戻る。
【００４９】
Ｓ１６０では、再生スイッチ４９が「ＯＮ」であるか否かを判別し、再生スイッチ４９が「ＯＮ」であれば、Ｓ１７０へ移行して、メモリ４５に記憶された音声データを読み出し、変換器４３のＰ／Ｓ変換部４３ｂへ出力して、スピーカ２０から音声を出力させ、Ｓ１００へ戻る。そして、再生スイッチ４９が「ＯＮ」でなければ、そのままＳ１００に戻る。
【００５０】
このように、使用者が、切換スイッチ４８を切り換えて「録音」とした状態で、電源スイッチ４７を「ＯＮ」に切り換えると、マイク１０から入力された音声信号の音声データがメモリ４５に記憶される。
そして、使用者が、電源スイッチ４７を切り換えて「ＯＦＦ」とした状態で、再生スイッチ４９を「ＯＮ」に切り換えると、メモリ４５に記憶された音声データによる音声が、スピーカ２０から出力される。また、電源スイッチ４７を切り換えて「ＡＵＴＯ」とした状態で、自動着信器３９からの着信検知信号が検出されない場合に、再生スイッチ４９を「ＯＮ」に切り換えても同様の動作となる。
【００５１】
また、切換スイッチ４８を切り換えて「直接再生」とした状態で、電源スイッチ４７を「ＯＮ」に切り換えると、マイク１０から入力された音声信号が、そのままスピーカ２０から出力される。
また、電源スイッチ４７を切り換えて「ＡＵＴＯ」としておくと、携帯電話５０が着信して、自動着信器３９から着信検知信号が出力されると、電源スイッチ４７を「ＯＮ」に切り換えたときと同じ動作が行われる。
【００５２】
以上のように、ハンズフリー通話システム１の音声入出力装置２によれば、マイク１０が音声信号に変換した周囲の音声をスピーカ２０から発生させることができ、使用者が、スピーカ２０からの音声を聞いて、通話相手が聞く音声に、どのような雑音が含まれているかを確認し、通話への影響が大きい雑音源を特定できる。これにより、特定された雑音源に対して、使用者が雑音を低減する処置を施すことにより、雑音による通話不良を防止できる。
【００５３】
また、通話相手に送信している音声信号の確認は、電源スイッチ４７、切換スイッチ４８、再生スイッチ４９の操作により、マイク１０が音声信号に変換した周囲の音声を、その場で聞くこともできるし、一旦メモリ４５に記憶させて、後から落ち着いて聞くこともできる。また、電源スイッチ４７を「ＡＵＴＯ」にしておけば、携帯電話５０が通話状態になると自動的に直接再生又は録音され、使用者が操作しなくても良いようにできる。
【００５４】
また、エコーキャンセラ３２により、マイク１０から入力された音声信号から、スピーカ２０から出力される音声信号成分が除去され、エコーやハウリングが生じないようにできる。
［本発明との対応関係］
本実施例のループバック部４０が、本発明のループバック手段に相当し、エコーキャンセラ３２が、エコーキャンセル手段に相当し、電源スイッチ４７，切換スイッチ４８，再生スイッチ４９が操作部に相当し、Ｓ１３０，Ｓ１４０での処理動作が録音手段に相当し、Ｓ１６０，Ｓ１７０での処理動作が再生手段に相当し、Ｓ１５０での処理動作が直接再生手段に相当する。
［変形例］
以上、本発明の実施形態について説明したが、本発明は上記の具体的な実施形態に限定されず、このほかにも様々な形態で実施することができる。
【００５５】
例えば、本実施例では、車両でハンズフリー通話を行うためのハンズフリー通話システム１について説明したが、これに限らず、マイク及びスピーカを含め音声入出力装置がヘッドセットに一体化され、使用場所が限定されないものであっても良いし、固定電話に内蔵するマイク及びスピーカに対してループバック部４０を装着した音声入出力装置として構成され、家庭内で用いられるものであっても良い。
【００５６】
また、スピーカ２０を、座席のヘッドレスト周辺に装着されるものとしたが、インストルメンタルパネル周辺に装着されて通常オーディオ装置に用いられるスピーカなどを、ハンズフリー通話システム１のスピーカ２０とし、オーディオ装置など他の車載装置が繋がるＬＡＮなどの通信線６０をＣＰＵ４１に接続して、通信線６０に繋がる車載装置から音声データを、ＣＰＵ４１に入力し、変換器４３のＰ／Ｓ変換部４２ｂから出力させて、スピーカ２０から音声を出力するように構成したものでも良い。つまり、このように構成すれば、ハンズフリー通話システム１と、他の車載装置とでスピーカ２０を共用することができ、車両に搭載する部品点数を減らすことができる。また、同じ様にして、マイク１０を他の車載装置と共用するように構成しても良い。
【００５７】
また、ループバック部４０にタイマをもたせ、Ｓ１４０又は、Ｓ１５０の処理を、あらかじめ設定された時間だけ実施するように構成されたものでも良い。つまり、このように構成すれば、ループバック部４０を動作させ、雑音低減の処置を行った後、電源スイッチ４７を「ＯＦＦ」に切り換える操作をしなくてよいようにできる。
【００５８】
また、音声入出力装置２は、フィルタ部３０にてデジタル変換して、ノイズ除去及びシリアル通信を行っているが、アナログ電圧の音声信号のままで伝送する回路で構成しても良い。この場合、ループバック部４０は、変換器４３を、Ｓ／Ｐ変換部４３ａでアナログ−デジタル変換し、Ｐ／Ｓ変換部４３ｂでデジタル−アナログ変換するようにすればよい。
【００５９】
更に、音声入出力装置２には、フィルタ部３０が設けられているが、フィルタ部３０が無く、マイク１０及びスピーカ２０を、携帯電話５０に直接接続したものであっても良い。また、携帯電話５０の内蔵するマイク及びスピーカに対してループバック部４０が繋がるようにしたものであっても良い。
【００６０】
また、ループバック部４０は、ＣＰＵ４１により音声データの入出力を制御して、ループバックするようにしているが、マイク１０からの音声信号を、スピーカ２０への音声信号に合成する合成器だけで構成されるものであっても良いし、メモリ４５の代わりにテープレコーダ等のアナログの機器で録音し、再生するように構成されたものであっても良い。
【図面の簡単な説明】
【図１】本実施例の全体構成を表すブロック図である。
【図２】本実施例のＣＰＵ４１での処理手順を表すフローチャート図である。
【符号の説明】
１…ハンズフリー通話システム、２…音声入出力装置、１０…マイク、２０…スピーカ、３０…フィルタ部、３１…コーデック、３２…エコーキャンセラ、３３…ノイズキャンセラ、３４…ラインエコーキャンセラ、３５…コーデック、３７…加算器、３９…自動着信器、４０…ループバック部、４２…バスライン、４３…変換器、４５…メモリ、４７…電源スイッチ，４８…切換スイッチ，４９…再生スイッチ、５０…携帯電話、６０…通信線。
【図１】
2004343335.tif 000003
【図２】
2004343335.tif 000004